(57)【要約】【課題】本発明は、組立式ユニットボックスに関するものであり、より詳しくは、作業性に優れ、十分な強度を提供する組立式ユニットボック及びそのための折り畳み式スリーブに関し、作業性に優れ、十分な強度を提供する組立式ユニットボック及びそのためのスリーブを提供することを目的とする。【解決手段】組立式ユニットボックス用折り畳み式スリーブは、第１壁部；前記第１壁部と対向して向かい合う第２壁部；コーナーヒンジ構造によって幅方向の両端が、前記第１壁部の一端と前記第２壁部の一端とに回転可能に結合される第３壁部；及びコーナーヒンジ構造によって幅方向の両端が、前記第１壁部の他端と前記第２壁部の他端とに回転可能に結合される第４壁部、を含み、前記第３壁部と前記第４壁部とのそれぞれは、中間ヒンジ構造によって回転可能に結合される第１壁体と第２壁体とを備える。【選択図】図２
2016030606.tif 000002
【特許請求の範囲】
【請求項１】
第１壁部；
前記第１壁部と対向して向かい合う第２壁部；
コーナーヒンジ構造によって幅方向の両端が、前記第１壁部の一端と前記第２壁部の一端とに回転可能に結合される第３壁部；及び
コーナーヒンジ構造によって幅方向の両端が、前記第１壁部の他端と前記第２壁部の他端とに回転可能に結合される第４壁部、を含み、
前記第３壁部と前記第４壁部とのそれぞれは、中間ヒンジ構造によって回転可能に結合される第１壁体と第２壁体とを備えることを特徴とする組立式ユニットボックス用折り畳み式スリーブ。
【請求項２】
前記コーナーヒンジ構造は、連結される前記壁部と前記壁体とを０度から９０度の範囲で折り畳んだり広げたりできるように結合することを特徴とする請求項１に記載の組立式ユニットボックス用折り畳み式スリーブ。
【請求項３】
前記コーナーヒンジ構造は、前記壁部の幅方向の一端部から厚さ方向に突出して形成され、その内側に前記壁部の高さ方向に沿って延びる円形の挿入通路が設けられた第１結合部と、前記壁体の幅方向の一端部に形成され、前記挿入通路に挿入されて回転する挿入部を備える第２結合部と、を備えることを特徴とする請求項１に記載の組立式ユニットボックス用折り畳み式スリーブ。
【請求項４】
前記中間ヒンジ構造は、第１、第２挿入通路が形成された中間結合部材と、前記第１挿入通路に回転可能に挿入され、前記第１壁体に結合される第１挿入部を備える第１中間結合部と、前記第２挿入通路に回転可能に挿入され、前記第２壁体に結合される第２挿入部を備える第２中間結合部と、を備えることを特徴とする請求項１に記載の組立式ユニットボックス用折り畳み式スリーブ。
【請求項５】
前記中間ヒンジ構造は、前記第１壁体と前記第２壁体とを０度〜１８０度の範囲で折り畳んだり畳んだり広げたりできるように回転区間を制限することを特徴とする請求項４に記載の組立式ユニットボックス用折り畳み式スリーブ。
【請求項６】
前記第１、第２、第３、第４壁部は、アルミニウム製の構造部を備えることを特徴とする請求項１に記載の組立式ユニットボックス用折り畳み式スリーブ。
【請求項７】
パレット；及び
前記パレットの上に取り付けられる折り畳み式スリーブ、を含み、
前記折り畳み式スリーブは、請求項１乃至６のいずれかに記載の折り畳み式スリーブであることを特徴とする組立式ユニットボックス。
【発明の詳細な説明】
【技術分野】
【０００１】
本発明は、Ｍ字型折り畳み部を備える組立式ユニットボックスに関するものであり、より詳しくは、作業性に優れ、十分な強度を提供する組立式ユニットボック及びそのための折り畳み式スリーブに関するものである。
【背景技術】
【０００２】
本発明の対象であるユニットボックスは、コンテナパレット、ボックスパレットなどと呼ばれるものであり、貨物の運搬が容易になるように、コンテナの底をパレットに構成したものである。最近では、分解・組立が可能な組立式ユニットボックスの使用が増加している。組立式ユニットボックスは、一般的にパレットと、パレットの上に取り付けられて側壁を形成するスリーブと、スリーブの上に取り付けられる蓋と、を備える。スリーブは、保管スペースを減らすため、折り畳んだり広げたりできるように構成され、折り畳まれた際には、板状にその形態が変わる。しかし、従来の折り畳み式スリーブは、容易に折り畳んだり広げたりできるように、合成樹脂等の可撓性の材質からなるものが一般的で、十分な強度を確保しにくく、大きな負荷の貨物に使用するのは困難である。
【先行技術文献】
【特許文献】
【０００３】
【特許文献１】韓国登録実用新案第２０−０４４４００６号公報
【発明の開示】
【発明が解決しようとする課題】
【０００４】
本発明の目的は、作業性に優れ、十分な強度を提供する組立式ユニットボック及びそのためのスリーブを提供することにある。
【課題を解決するための手段】
【０００５】
上述した本発明の目的を達成するために、本発明の一態様によれば、
第１壁部；前記第１壁部と対向して向かい合う第２壁部；コーナーヒンジ構造によって幅方向の両端が前記第１壁部の一端と前記第２壁部の一端とに回転可能に結合される第３壁部；及びコーナーヒンジ構造によって幅方向の両端が前記第１壁部の他端と前記第２壁部の他端とに回転可能に結合される第４壁部、を含み、前記第３壁部と、前記第４壁部のそれぞれは、中間ヒンジ構造によって回転可能に結合される第１壁体と第２壁体とを備えることを特徴とする組立式ユニットボックス用折り畳み式スリーブが提供される。
【０００６】
前記コーナーヒンジ構造は、連結される前記壁部と前記壁体とを０度から９０度の範囲で折り畳んだり広げたりできるように結合してもよい。
【０００７】
前記コーナーヒンジ構造は、前記壁部の幅方向の一端部から厚さ方向に突出して形成され、その内部に前記壁部の高さ方向に沿って延びる円形の挿入通路が設けられた第１結合部と、前記壁体の幅方向の一端部に形成され、前記挿入通路に挿入されて回転する挿入部を備える第２結合部と、を備えてもよい。
【０００８】
前記中間ヒンジ構造は、第１、第２挿入通路が形成された中間結合部材と、前記第１挿入通路に回転可能に挿入され、前記第１壁体に結合される第１挿入部を備える第１中間結合部と、前記第２挿入通路に回転可能に挿入され、前記第２壁体に結合される第２挿入部を備える第２中間結合部と、を備えてもよい。
【０００９】
前記中間ヒンジ構造は、前記第１壁体と前記第２壁体を０度〜１８０度の範囲で折り畳んだり広げたりできるように、回転区間を制限してもよい。
【００１０】
前記第１、第２、第３、第４壁部は、アルミニウム製の構造部を備えてもよい。
【００１１】
上述した本発明の目的を達成するために、本発明の他の態様によれば、
パレット；及び前記パレットの上に取り付けられる折り畳み式スリーブ、を含み、前記折り畳み式スリーブは、上述した構成の折り畳み式スリーブであることを特徴とする組立式ユニットボックスが提供される。
【発明の効果】
【００１２】
本発明によれば、前述した本発明の目的をすべて達成することができる。具体的には、スリーブがアルミニウム製であり、スリーブの４つの壁部がコーナーヒンジ構造によって連結され、４つの壁部のうち対向する２つの壁部が中間ヒンジ構造によって連結される２つの壁体を備えることで、十分な強度を提供しながら、作業性が優れている。
【図面の簡単な説明】
【００１３】
【図１】本発明の一実施例に係る組立式ユニットボックスを示す斜視図である。
【図２】図１に示す組立式ユニットボックスの分解斜視図である。
【図３】図１に示す組立式ユニットボックスの側断面図である。
【図４】図２に示す中間ヒンジ構造を拡大して示した斜視図である。
【図５】図４に示す中間ヒンジ構造において、締付けネジを外して、中間ヒンジ構造を拡大して示した平面図であり、スリーブが完全に広げられた際の中間ヒンジ構造の姿を示した図である。
【図６】図２に示すコーナーヒンジ構造を拡大して示した斜視図である。
【図７】図６において、締付けネジを外して、コーナーヒンジ構造を示した平面図であり、スリーブが完全に広げられた際のコーナーヒンジ構造の姿を示した図である。
【図８】図２に示すスリーブが完全に折り畳まれた際の姿を示した図である。
【発明を実施するための形態】
【００１４】
以下、図面を参照して本発明の実施例を詳述する。
【００１５】
図１〜図３には、本発明の一実施例に係る組立式ユニットボックスが示されている。図１〜図３を参照すると、組立式ユニットボックス１００は、パレット１１０と、蓋１２０と、スリーブ１３０と、を含む。パレット１１０、蓋１２０、スリーブ１３０は、分解可能な形で組み立てられ、内部に運搬対象貨物が収容される貨物収容スペースを提供する組立式ユニットボックス１００を構成する。
【００１６】
パレット１１０は、底面１１１と、多数の突出部１１５と、トレンチ溝１１７と、を備える。
【００１７】
底面１１１は、略長方形状をなしている。底面１１１の上に荷物が載置される。
【００１８】
多数の突出部１１５は、底面１１１の反対側に突出して形成される。突出部１１５の間にフォークリフトのような運搬手段に設けられたフォークを安定的に差し込むことができるフォーク収容部１１６が設けられる。
【００１９】
トレンチ溝１１７は、底面１１１の枠に設けられ、その枠の周に沿って延び、長方形状の単一閉曲線を形成する。トレンチ溝１１７にスリーブ１３０の下端が挿入される。
【００２０】
蓋１２０は、カバー面１２１とトレンチ溝１２５とを備える。
【００２１】
カバー面１２１は、パレット１１０の底面１１１と対応する大きさと形態とを有する。カバー面１２１は、パレット１１０の底面１１１と離隔した状態で対向して貨物収容空間１０１の上部を覆う。
【００２２】
トレンチ溝１２５は、カバー面１２１の枠にその周りに沿って延び、長方形状の単一閉曲線を形成する。トレンチ溝１２５にスリーブ１３０の上端が挿入される。
【００２３】
スリーブ１３０は、折り畳んだり広げたりできる構造で、完全に広げられた際には、組立式ユニットボックス１００の側壁を形成し、完全に折り畳まれた際には、平らな板状を有する。スリーブ組立体１３０の下端と上端とは、それぞれパレット１１０のトレンチ溝１１７と蓋１２０のトレンチ溝１２５とに挿入されて結合される。
【００２４】
スリーブ１３０は、向かい合う第１、第２壁部１４１、１４５と、向かい合う第３、第４壁部１５１、１５５と、４つのコーナーヒンジ構造１６０ａ、１６０ｂ、１６０ｃ、１６０ｄと、を含む。スリーブ１３０は、第１壁部１４１と第２壁部１４５との間に第３壁部１５１と第４壁部１５５のそれぞれが二重に重なった状態で位置するように折り畳むことができる。
【００２５】
第１壁部１４１は、略長方形状であり、少なくとも一部がアルミニウム材質からなる。
【００２６】
第２壁部１４５は、略長方形状であり、スリーブ１３０が完全に広げられた際に、第１壁部１４１とは十分な距離を置いて離隔した状態で対向するようになる。第２壁部１４５は、第１壁部１４１と同じ大きさを有する。第２壁部１４５は、少なくとも一部がアルミニウム材質からなる。
【００２７】
第３壁部１５１は、対向する第１壁部１４１の幅方向の一端部と第２壁部１４５の幅方向の一端部とを連結する。第３壁部１５１は、第１壁部１４１に対して、コーナーヒンジ構造１６０ａによって折り畳んだり広げたりできるように連結された第１壁体１５２と、第２壁部１４５に対して、コーナーヒンジ構造１６０ｂによって折り畳んだり広げたりできるように連結された第２壁体１５３と、２つの壁体１５２、１５３を折り畳んだり広げたりできるように連結する中間ヒンジ構造１８０と、を備える。第３壁部１５１は、第１、第２壁部１４１、１４５よりも小さい幅を有する。
【００２８】
第１壁体１５２は、一定の幅と高さを有する長方形状であり、幅方向の一端部は、コーナーヒンジ構造１６０ａによって第１壁部１４１に対して折り畳んだり広げたりできるように結合される。第１壁体１５２は、少なくとも一部がアルミニウム材質からなる。
【００２９】
第２壁体１５３は、一定の幅と高さを有する長方形状であり、第１壁体１５２と同じ大きさを有する。第２壁体１５３の幅方向の一端部は、コーナーヒンジ構造１６０ｂによって第２壁部１４５に対して折り畳んだり広げたりできるように結合される。第２壁体１５３は、少なくとも一部がアルミニウム材質からなる。第２壁体１５３は、中間ヒンジ構造１８０によって第１壁体１５２に対して０度から１８０度の範囲で折り畳んだり広げたりできるように連結される。
【００３０】
図４および図５を参照すると、中間ヒンジ構造１８０は、中間結合部材１８１と、第１、第２中間結合部１８５ａ、１８５ｂと、第１、第２締付けネジ１９８ａ、１９８ｂと、を備える。中間ヒンジ構造１８０は、第１壁体１５２の第１壁部１４１に対する回転と、第２壁体１５３の第２壁部１４５に対する回転に対応して、第１壁体１５２と第２壁体１５３とを０度から１８０度の範囲で折り畳んだり広げたりできるように連結する。第１壁体１５２と第２壁体１５３が完全に折り畳まれてその夾角が０度をなす際に、第１壁体１５２の外面と第２壁体１５３の外面が向かい合うようになる。
【００３１】
一体型で形成された中間結合部材１８１には、互いに隣接してスリーブ１３０の高さ方向に沿って直線状に延びてスリーブ１３０を貫通する円形の第１、第２挿入通路１８２ａ、１８２ｂが設けられる。中間結合部材１８１には、２つの挿入通路１８２ａ、１８２ｂの円周方向の一部区間をそれぞれ開放させる第１、第２スリット開口部１８３ａ、１８３ｂが設けられる。両方のスリット開口部１８３ａ、１８３ｂは、スリーブ１３０の外側面に向かうように形成される。各スリット開口部１８３ａ、１８３ｂは、第３壁部１５１の高さ方向に沿って直線状に延びる。第１スリット開口部１８３ａの幅は、第１壁体１５２が０度から９０度の範囲で回転できるように適切に決定される。また、第２スリット開口部１８３ｂの幅は、第２壁体１５３が０度から９０度の範囲で回転できるように適切に決定される。第１、第２挿入通路１８２ａ、１８２ｂの外周面の円周方向の一部区間領域１８１１ａ、１８１１ｂは、対応する挿入通路１８２ａ、１８２ｂを中心とする弧状の曲面を有する。これは、第１、第２壁体１５２、１５３が回転の際に、干渉を避けるためである。第１挿入通路１８２ａの内周面には、内側に突出した第１Ａ、第２Ａ内部係止部１８２１ａ、１８２２ａが設けられる。両方の内部係止部１８２１ａ、１８２２ａは、第１壁体１５２の回転を０度から９０度の範囲で制限する。第１挿入通路１８２ａの外周には、外側に突出した第１外部係止部１８４ａが設けられる。第１外部係止部１８４ａは、第１壁体１５２が９０を超えて回転しないように、第１壁部１５２の回転を制限する。第２挿入通路１８２ｂの内周面には、内側に突出した第１Ａ、第２Ａ内部係止部１８２１ｂ、１８２２ｂが設けられる。両方の内部係止部１８２１ｂ、１８２２ｂは、第２壁体１５３の回転を０度から９０度の範囲で制限する。第２挿入通路１８２ｂの外周には、外側に突出した第２外部係止部１８４ｂが設けられる。第２外部係止部１８４ｂは、第２壁体１５３が９０を超えて回転しないように、第１壁部１５２の回転を制限する。本実施例では、中間結合部材１８１は、アルミニウム製のものとして説明する。
【００３２】
第１中間結合部１８５ａは、第１壁体１５２の幅方向の一端部に形成される。第１中間結合部１８５ａは、第１挿入部材１８６ａと第１外部係止突起１８８ａとを備える。
【００３３】
第１挿入部材１８６ａは、中間結合部材１８１の第１挿入通路１８２ａに挿入される第１挿入部１８７ａと、第１挿入部１８７ａと第１壁体１５２とを連結する第１連結部１８７１ａと、を備える。第１挿入部１８７ａは、側面円周方向の一部区間が開放された円形の管形状である。第１挿入部１８７ａは、第１挿入通路１８２ａに挿入されて回転可能である。第１挿入部１８７ａには、外側に突出して形成され、第１挿入通路１８２ａの内部に位置する第１Ａ、第２Ａ内部係止突起１８７３ａ、１８７４ａが設けられる。第１Ａ内部係止突起１８７３ａは、第１挿入通路１８２ａに形成された第１Ａ内部係止部１８２１ａに引っ掛かり、第２Ａ内部係止突起１８７４ａは、第１挿入通路１８２ａに形成された第２Ａ内部係止部１８２２ａに引っ掛かって、第１壁体１５２の回転区間を０度から９０度に制限する。第１挿入部１８７ａは、第１挿入通路１８２ａにスライド方式で挿入される。第１連結部１８７１ａは、第１挿入部１８７ａから外側に延び、中間結合部材１８１の第１スリット開口部１８３ａを経て、第１壁体１５２の幅方向の一端部に固定される。
【００３４】
第１外部係止突起１８８ａは、第１壁体１５２の幅方向の一端部から幅方向に突出して形成され、第１外部係止突起１８８ａは、第１外部係止部１８４ａと相互作用して、第１壁体１５２が９０を超えて回転しないように、第１壁体１５２の回転を制限する。本実施例では、第１中間結合部１８５ａは、アルミニウム製のものとして説明する。
【００３５】
第２中間結合部１８５ｂは、第２壁体１５３の幅方向の一端部に形成される。第２中間結合部１８５ｂは、第２挿入部材１８６ｂと第２外部係止突起１８８ｂとを備える。
【００３６】
第２挿入部材１８６ｂは、中間結合部材１８１の第２挿入通路１８２ｂに挿入される第２挿入部１８７ｂと、第２挿入部１８７ｂと第２壁体１５３とを連結する第２の連結部１８７１ｂと、を備える。第２挿入部１８７ｂは、側面円周方向の一部区間が開放された円形の管形状である。第２挿入部１８７ｂは、第２挿入通路１８２ｂに挿入されて回転可能である。第２挿入部１８７ｂには、外側に突出して形成され、第２挿入通路１８２ｂの内部に位置する第１Ｂ、第２Ｂ内部係止突起１８７３ｂ、１８７４ｂが設けられる。第１Ｂ内部係止突起１８７３ｂは、第２挿入通路１８２ｂに形成された第１Ｂ内部係止部１８２１ｂに引っ掛かり、第２Ｂ内部係止突起１８７４ｂは、第２挿入通路１８２ｂに形成された第２Ｂ内部係止部１８２２ｂに引っ掛かって、第２壁体１５３の回転区間を０度から９０度に制限する。第２挿入部１８７ｂは、第２挿入通路１８２ｂにスライド方式で挿入される。第２連結部１８７１ｂは、第２挿入部１８７ｂから外側に延び、中間結合部材１８１の第２スリット開口部１８３ｂを経て、第２壁体１５３の幅方向の一端部に固定される。
【００３７】
第２外部係止突起１８８ｂは、第２壁体１５３の幅方向の一端部から幅方向に突出して形成され、第２外部係止突起１８８ｂは、第２外部係止部１８４ｂと相互作用して、第２壁体１５３が９０を超えて回転しないように、第２壁体１５３の回転を制限する。本実施例では、第２中間結合部１８５ｂは、アルミニウム製のものとして説明する。
【００３８】
第１締付けネジ１９８ａは、中間結合部材１８１の第１挿入通路１８２ａに第１中間結合部１８５ａの第１挿入部１８７ａが挿入された状態で、第１中間結合部１８５ａの内部に入り込んで結合される。このために、第１締付けネジ１９８ａは、第１挿入部１８７ａの材質（本実施例ではアルミニウム）よりも高い強度を有する材質からなる。第１締付けネジ１９８ａの頭部１９８１ａは、第１挿入通路１８２ａを覆うようになる。第１締付けネジ１９８ａは、スリーブ１３０の高さ方向の両端ともに締付けられる。
【００３９】
第２締付けネジ１９８ｂは、中間結合部材１８１の第２挿入通路１８２ｂに第２中間結合部１８５ｂの第２挿入部１８７ｂが挿入された状態で、第２中間結合部１８５ｂの内部に入り込んで結合される。このために、第２締付けネジ１９８ｂは、第２挿入部１８７ｂの材質（本実施例ではアルミニウム）よりも高い強度を有する材質からなる。第２締付けネジ１９８ｂの頭部１９８１ｂは、第２挿入通路１８２ｂを覆うようになる。第２締付けネジ１９８ｂは、スリーブ１３０の高さ方向の両端にともに締付けられる。
【００４０】
第４壁部１５５は、第３壁部１５１と同じ大きさを持って対向し、第１壁部１４１の幅方向の一端部と第２壁部１４５の幅方向の一端部とを連結する。第４壁部１５５は、第１壁部１４１に対して、コーナーヒンジ構造１６０ｃによって折り畳んだり広げたりできるように連結された第１壁体１５６と、第２壁部１４５に対して、コーナーヒンジ構造１６０ｄによって折り畳んだり広げられたりできるように連結された第２壁体１５７と、２つの壁体１５６、１５７を折り畳んだり広げたりできるよう連結する中間ヒンジ構造１９０と、を備える。第４壁部１５５は、第３壁部１５１と同じ構成であるので、第４壁部１５５の構成に関する詳細な説明は省略する。
【００４１】
多数のコーナーヒンジ構造１６０ａ、１６０ｂ、１６０ｃ、１６０ｄは、第１壁部１４１と第３壁部１５１の第１壁体１５２とを連結する第１コーナーヒンジ構造１６０ａと、第２壁部１４５と第３壁部１５１の第２壁体１５３とを連結する第２コーナーヒンジ構造１６０ｂと、第１壁部１４１と第４壁部１５５の第１壁体１５６とを連結する第３コーナーヒンジ構造１６０ｃと、第２壁部１４５と第４壁部１５５の第２壁体１５７とを連結する第４コーナーヒンジ構造１６０ｄと、を備える。４つのコーナーヒンジ構造１６０ａ、１６０ｂ、１６０ｃ、１６０ｄは、全てが同一構成であるので、ここでは第１コーナーヒンジ構造１６０ａのみに対してその構成を詳述する。
【００４２】
図６及び図７を参照すると、第１ヒンジ構造１６０ａは、第１結合部１６１と、第２結合部１６５と、締付けネジ１６９と、を備える。第１ヒンジ構造１６０ａは、第１壁部１４１と第３壁部１５１の第１壁体１５２とが０度から９０度の範囲で相対回転して、折り畳んだり広げたりできるように、第１壁部１４１と第１壁体１５２とを結合する。
【００４３】
第１結合部１６１は、第１壁部１４１の幅方向の一端部から厚さ方向に突出して形成される。第１結合部１６１の内側には、第１壁部１４１の高さ方向に沿って直線状に延びて第１壁部１４１を貫通する円形の挿入通路１６２が設けられる。第１結合部１６１には、挿入通路１６２の円周方向の一部区間を開放するスリット開口部１６３が設けられる。スリット開口部１６３は、第１壁部１４１の高さ方向に沿って直線状に延び、スリット開口部１６３の幅は、第１壁体１５２が第１壁部１４１に対して０度から９０度の範囲で回転できるように適切に決定される。第１結合部１６１の外周面の円周方向の一部区間領域１６１１は、挿入通路１６２を中心とする弧状の曲面を有する。これは、第１壁体１５２が回転する際に、干渉を避けるためである。挿入通路１６２の内周面には、内側に突出した第１、第２内部係止部１６２１、１６２２が設けられる。両方の内部係止部１６２１、１６２２は、第１壁部１４１に対する第１壁体１５２の回転を０度から９０度の範囲で制限する。第１結合部１６１の外周には、外側に突出した外部係止部１６４が設けられる。外部係止部１６４は、第１壁部１４１に対して第１壁体１５２が９０を超えて回転しないように、第１壁体１５２の回転を制限する。本実施例では、第１結合部１６１は、アルミニウム製のものとして説明する。
【００４４】
第２結合部１６５は、第１壁体１５２の幅方向の一端部に形成される。第２結合部１６５は、挿入部材１６６と外部係止突起１６８とを備える。
【００４５】
挿入部材１６６は、第１結合部１６１の挿入通路１６２に挿入される挿入部１６７と、挿入部１６７と第１壁体１５２とを連結する連結部１６７１と、を備えする。挿入部１６７は、側面円周方向の一部区間が開放された円形の管形状である。挿入部１６７は、挿入通路１６２に挿入されて回転可能である。挿入部１６７には、外側に突出して形成され、挿入通路１６２の内側に位置する第１、第２内部係止突起１６７３、１６７４が設けられる。第１内部係止突起１６７３は、挿入通路１６２に形成された第１内部係止部１６２１に引っ掛かり、第２内部係止突起１６７４は、挿入通路１６２に形成された第２内部係止部１６２２に引っ掛かって、第１壁部１４１に対する第１壁体１４５の回転区間を０度から９０度の範囲で制限する。挿入部１６７は、挿入通路１６２にスライド方式で挿入される。連結部１６７１は、挿入部１６７から外側に延び、第１結合部１６１のスリット開口部１６３を経て、第１壁体１５２の幅方向の一端部に固定される。
【００４６】
外部係止突起１６８は、第１壁体１５２の幅方向の一端部から幅方向に突出して形成され、外部係止突起１６８は、外部係止部１６４と相互に作用して、第１壁部１４１に対して第１壁体１５２が９０を超えて回転しないように、第１壁体１５２の回転を制限する。本実施例では、第２結合部１６５は、アルミニウム製のものとして説明する。
【００４７】
締付けネジ１６９は、第１結合部１６１の挿入通路１６２に第２結合部１６５の挿入部１６７が挿入された状態で、挿入部１６７の内部に入り込んで結合される。このために、締付けネジ１６９は、挿入部１６７の材質（本実施例ではアルミニウム）よりも高い強度を有する材質からなる。締付けネジ１６９の頭部１６９１は、挿入通路１６２を覆うようになる。締付けネジ１６９は、スリーブ１３０の高さ方向の両端にともに締付けられる。
【００４８】
図８には、図２に示されたスリーブが完全に折り畳まれた際の姿が示されている。図８を参照すると、第１壁部１４１と第２壁部１４５との間に第３壁部１５１と第４壁部１５５とのそれぞれが半分に折り畳まれた状態で重なり合って、スリーブ１３０は、板状の形態を有するようになる。第３壁部１５１は、中間ヒンジ構造１８０によって折り畳まれて２つの壁体１５２、１５３が重なり合っており、第４壁部１５５の第１壁体１５６は、中間ヒンジ構造１９０によって折り畳まれて２つの壁体１５６、１５７が重なり合っている。スリーブ１３０の折り畳み部は折り畳まれる過程でＭ字形態を有するようになる。
【００４９】
以上では実施例を通じて本発明を説明したが、本発明はこれらに限定されるものではない。上記の実施例は、本発明の趣旨及び範囲を外れることなく修正または変更されることができ、本技術分野で通常の知識を有する者であれば、このような修正と変更も本発明に属することが分かるはずである。
【符号の説明】
【００５０】
１００：組立式ユニットボックス     １１０：パレット  
１２０：蓋                        １３０：スリーブ  
１４１：第１壁部                  １４５：第２壁部  
１５１：第３壁部                  １５５：第４壁部  
１６０ａ：第１コーナーヒンジ構造   １６０ｂ：第２コーナーヒンジ構造  
１６０ｃ：第３コーナーヒンジ構造   １６０ｄ：第４コーナーヒンジ構造  
１８０：第１中間ヒンジ構造        １９０：第２中間ヒンジ構造  
【図１】
2016030606.tif 000003
【図２】
2016030606.tif 000004
【図３】
2016030606.tif 000005
【図４】
2016030606.tif 000006
【図５】
2016030606.tif 000007
【図６】
2016030606.tif 000008
【図７】
2016030606.tif 000009
【図８】
2016030606.tif 000010